(57)【要約】      （修正有）【課題】ＣＰＵの負荷を軽減することで、印刷中のエラーの発生を確実に防止することが可能な画像形成装置を提供する。【解決手段】印刷ジョブを受けると、最初の頁の画像データを、トナー像を形成する画像形成ユニットに対応する最初の頁の印刷データに変換し、対応する画像形成ユニットに送信する頁変換送信手段３０２と、画像形成ユニットに最初の頁の印刷データが送信されると、画像形成ユニットで、トナー像を用紙に画像形成する画像形成手段３０３と、次頁の画像データが存在する場合に、次頁の画像データを、次頁の印刷データに変換する次頁変換手段３０４と、変換された次頁の印刷データを保持し、所定の頁の印刷データのトナー像が用紙に画像形成されると、頁の印刷データが送信された画像形成ユニットに対して、次頁の印刷データを画像形成ユニットに送信する次頁送信手段３０５とを備える。【選択図】図３
2016097515.tif 000002
【特許請求の範囲】
【請求項１】
印刷ジョブを受けると、当該印刷ジョブの最初の頁の画像データを、トナー像を形成する画像形成ユニットに対応する最初の頁の印刷データに変換し、当該変換した最初の頁の印刷データを、対応する画像形成ユニットに送信する頁変換送信手段と、
前記画像形成ユニットに前記最初の頁の印刷データが送信されると、当該画像形成ユニットで、前記最初の頁の印刷データのトナー像を用紙に画像形成する画像形成手段と、
次頁の画像データが存在する場合に、当該次頁の画像データを、次頁の印刷データに変換する次頁変換手段と、
前記変換された次頁の印刷データを保持し、所定の頁の印刷データのトナー像が用紙に画像形成されると、当該頁の印刷データが送信された画像形成ユニットに対して、前記次頁の印刷データを前記画像形成ユニットに送信する次頁送信手段と、
を備えることを特徴とする画像形成装置。
【請求項２】
前記次頁送信手段は、前記印刷ジョブの画像データの頁数が二頁以上の場合、所定の頁の印刷データを保持し、前記頁の直前の頁の印刷データのトナー像が用紙に画像形成されると、対応する画像形成ユニットに当該頁の印刷データを送信し、前記次頁変換手段に、次頁の画像データを、前記次頁の印刷データに変換させ、当該次頁の印刷データを保持する
請求項１に記載の画像形成装置。
【請求項３】
印刷ジョブを受けると、当該印刷ジョブの最初の頁の画像データを、トナー像を形成する画像形成ユニットに対応する最初の頁の印刷データに変換し、当該変換した最初の頁の印刷データを、対応する画像形成ユニットに送信する頁変換送信ステップと、
前記画像形成ユニットに前記最初の頁の印刷データが送信されると、当該画像形成ユニットで、前記最初の頁の印刷データのトナー像を用紙に画像形成する画像形成ステップと、
次頁の画像データが存在する場合に、当該次頁の画像データを、次頁の印刷データに変換する次頁変換ステップと、
前記変換された次頁の印刷データを保持し、所定の頁の印刷データのトナー像が用紙に画像形成されると、当該頁の印刷データが送信された画像形成ユニットに対して、前記次頁の印刷データを前記画像形成ユニットに送信する次頁送信ステップと、
を備えることを特徴とする画像形成方法。
【発明の詳細な説明】
【技術分野】
【０００１】
本発明は、画像形成装置及び画像形成方法に関し、詳しくは、ＣＰＵの負荷を軽減することで、印刷中のエラーの発生を確実に防止することが可能な画像形成装置及び画像形成方法に関する。
【背景技術】
【０００２】
従来、複合機、複写機、プリンタ等の画像形成装置には、印刷動作中にエラーが発生した場合に、リカバリ印刷を実行できる機能が設けられている。例えば、特開２０１３−４９１８２号公報（特許文献１）には、リカバリ印刷を実行可能な印刷装置が開示されている。この装置では、１回目の印刷データの印刷中にエラーを検出した場合、印刷動作を中断し、中断した印刷データのページ番号を記憶し、エラー解除後、中断した印刷データのページに対応する用紙を代替する白紙を搬送し、印刷データの残りのページに対する印刷動作を再開する。次に、この装置は、その印刷物を所定の給紙部にセットするように指示し、さらに１回目の印刷データと同じ２回目の印刷データを取得し、給紙部にセットされた用紙を利用して、２回目の印刷データの印刷を行うリカバリ処理を実行するとしている。
【先行技術文献】
【特許文献】
【０００３】
【特許文献１】特開２０１３−４９１８２号公報
【発明の概要】
【発明が解決しようとする課題】
【０００４】
しかしながら、上述した特許文献１に記載の技術では、印刷動作中に発生するエラーのリカバリー処理を目的としており、エラーの発生を未然に防止するものではない。
【０００５】
一方、前記エラーの発生原因は、画像データ、画像形成処理、用紙搬送処理を全て司るＣＰＵの負荷増加である。例えば、大容量の画像データを取得したＣＰＵが前記負荷で用紙搬送のタイミングに対して画像形成のタイミングを逃してしまい、前記エラーが発生する。
【０００６】
そこで、本発明は、前記問題を解決するためになされたものであり、ＣＰＵの負荷を軽減することで、印刷中のエラーの発生を確実に防止することが可能な画像形成装置及び画像形成方法を提供することを目的とする。
【課題を解決するための手段】
【０００７】
上述した課題を解決し、目的を達成するために、本発明に係る画像形成装置は、頁変換送信手段と、画像形成手段と、次頁変換手段と、次頁送信手段と、を備える。頁変換送信手段は、印刷ジョブを受けると、当該印刷ジョブの最初の頁の画像データを、トナー像を形成する画像形成ユニットに対応する最初の頁の印刷データに変換し、当該変換した最初の頁の印刷データを、対応する画像形成ユニットに送信する。画像形成手段は、前記画像形成ユニットに前記最初の頁の印刷データが送信されると、当該画像形成ユニットで、前記最初の頁の印刷データのトナー像を用紙に画像形成する。次頁変換手段は、次頁の画像データが存在する場合に、当該次頁の画像データを、次頁の印刷データに変換する。次頁送信手段は、前記変換された次頁の印刷データを保持し、所定の頁の印刷データのトナー像が用紙に画像形成されると、当該頁の印刷データが送信された画像形成ユニットに対して、前記次頁の印刷データを前記画像形成ユニットに送信する。
【０００８】
又、本発明は、前記次頁送信手段は、前記印刷ジョブの画像データの頁数が二頁以上の場合、所定の頁の印刷データを保持し、前記頁の直前の頁の印刷データのトナー像が用紙に画像形成されると、対応する画像形成ユニットに当該頁の印刷データを送信し、前記次頁変換手段に、次頁の画像データを、前記次頁の印刷データに変換させ、当該次頁の印刷データを保持する。
【０００９】
又、本発明に係る画像形成方法は、頁変換送信ステップと、画像形成ステップと、次頁変換ステップと、次頁送信ステップと、を備える。頁変換送信ステップは、印刷ジョブを受けると、当該印刷ジョブの最初の頁の画像データを、トナー像を形成する画像形成ユニットに対応する最初の頁の印刷データに変換し、当該変換した最初の頁の印刷データを、対応する画像形成ユニットに送信する。画像形成ステップは、前記画像形成ユニットに前記最初の頁の印刷データが送信されると、当該画像形成ユニットで、前記最初の頁の印刷データのトナー像を用紙に画像形成する。次頁変換ステップは、次頁の画像データが存在する場合に、当該次頁の画像データを、次頁の印刷データに変換する。次頁送信ステップは、前記変換された次頁の印刷データを保持し、所定の頁の印刷データのトナー像が用紙に画像形成されると、当該頁の印刷データが送信された画像形成ユニットに対して、前記次頁の印刷データを前記画像形成ユニットに送信する。
【００１０】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００１１】
本発明の画像形成装置及び画像形成方法によれば、ＣＰＵの負荷を軽減することで、印刷中のエラーの発生を確実に防止することが可能となる。
【図面の簡単な説明】
【００１２】
【図１】本発明に係る画像形成装置の内部の全体構成を示す概念図である。
【図２】本発明に係る画像形成装置の制御系ハードウェアの構成を示す図である。
【図３】本発明の機能ブロック図である。
【図４】本発明の実行手順を示すためのフローチャートである。
【図５】本発明に係る画像形成装置の用紙搬送のタイミングと画像形成ユニットの画像データの送信先設定からトナー像転写までのタイミングとの関係を示す図である。
【図６】従来技術に係る画像形成装置の用紙搬送のタイミングと画像形成ユニットの画像データの送信先設定からトナー像転写までのタイミングとの関係を示す図である。
【発明を実施するための形態】
【００１３】
以下に、添付図面を参照して、本発明の画像形成装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１４】
以下、本発明に係る画像形成装置１について説明する。画像形成装置１は、画像データに基づいてトナー画像を形成するタンデム式の画像形成部Ａ１、用紙を収容する用紙収容部２、画像形成部Ａ１で形成されたトナー画像を用紙上に転写する二次転写部３を備えている。又、転写されたトナー画像を用紙上に定着させる定着部４、定着の完了した用紙を排紙する排紙部５及び排紙された用紙を受ける排紙トレイ部７を備えている。更に、画像形成装置１は、用紙収容部２から排紙部５まで用紙を搬送する用紙搬送部６を備えている。
【００１５】
画像形成部Ａ１は、中間転写ベルトＢ１（中間転写体）、中間転写ベルトＢ１をクリーニングするクリーニング部Ｂ２、並びに、イエロー（Ｙ）、マゼンタ（Ｍ）、シアン（Ｃ）、ブラック（Ｋ）の各色にそれぞれ対応した画像形成ユニットＦＹ、ＦＭ、ＦＣ、及びＦＢを備える。
【００１６】
中間転写ベルトＢ１は、導電性を有する使用可能な用紙搬送方向に直角な方向の長さが最大の用紙より幅広であって、無端状のベルト状部材であり、図１において時計回りに循環駆動される。
【００１７】
画像形成ユニットＦＹ、ＦＭ、ＦＣ、及びＦＫは、中間転写ベルトＢ１に沿って、中間転写ベルトＢ１の移動方向において、クリーニング部Ｂ２より下流かつ二次転写部３の上流に、この順に配される。
【００１８】
このような構成の下、パーソナルコンピュータ（ＰＣ）等の上位装置から通信部（図示せず）を介して画像形成の指示を受けた画像形成装置１は、指示を受けた画像データを、印刷データに変換して、これに対応する信号を各画像形成ユニットＦＹ、ＦＭ、ＦＣ、ＦＢに送信し、各画像形成ユニットＦＹ、ＦＭ、ＦＣ、ＦＢは、各色のトナー像を形成する。
【００１９】
このようなトナー像の形成と同期して用紙収容部２に収容されている用紙が用紙収容部２から一枚ずつ取り出されて、用紙搬送部６上を搬送される。そして、用紙は中間転写ベルトＢ１への一次転写とタイミングを合わせて二次転写部３に送り込まれ、二次転写部３で中間転写ベルトＢ１上のトナー像が用紙に二次転写される。トナー像が転写された用紙は、定着部４に搬送されて熱と圧力によりカラートナー像が用紙に定着され、用紙は排紙部５によって画像形成装置１の外周に設けられた排紙トレイ部７に排紙される。二次転写後、中間転写ベルトＢ１に残留したトナーは、クリーニング部Ｂ２によって中間転写ベルトＢ１から除去される。
【００２０】
画像形成装置１は、図２に示すように、ＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）２０２、ＲＯＭ（Ｒｅａｄ  Ｏｎｌｙ  Ｍｅｍｏｒｙ）２０３、ＨＤＤ（Ｈａｒｄ  Ｄｉｓｋ  Ｄｒｉｖｅ）２０４、各駆動部（画像形成部Ａ１、二次転写部３、定着部４等）に対応するドライバ２０５が内部バス２０６を介して接続されている。
【００２１】
前記ＣＰＵ２０１は、例えばＲＡＭ２０２を作業領域として利用し、ＲＯＭ２０３やＨＤＤ２０４等に記憶されているプログラムを実行し、当該実行結果に基づいて前記ドライバ２０５とデータや命令を授受することにより前記図１に示した各駆動部の動作を制御する。又、前記駆動部以外の後述する各手段（図３に示す）についても、ＣＰＵ２０１がプログラムを実行することで各手段として動作する。
【００２２】
次に、図３、図４を参照しながら、本発明の実施形態に係る構成及び実行手順について説明する。先ず、ユーザーが、上位装置から画像形成装置１へ所定頁数（例えば、四頁）の画像データと印刷条件（例えば、カラー印刷、用紙サイズＡ４等）を含む画像形成の指示（印刷ジョブ）を送信すると、当該画像形成装置１の制御手段３０１が、当該印刷ジョブを受け付け（図４：Ｓ１０１）、その旨を頁変換送信手段３０２に通知する。当該通知を受けた頁変換送信手段３０２は、前記印刷ジョブの印刷条件に基づいて、使用する画像形成ユニット（カラー印刷である場合は、画像形成ユニットＦＹ、ＦＭ、ＦＣ、及びＦＫの全て）を指定し、前記印刷ジョブの最初の頁の画像データを、当該指定した画像形成ユニットに対応する最初の頁の印刷データに変換する（図４：Ｓ１０２）。そして、頁変換送信手段３０２は、前記変換した最初の頁の印刷データを、対応する画像形成ユニットに送信する（図４：Ｓ１０３）。
【００２３】
ここで、頁変換送信手段３０２が送信する方法は、特に限定は無いが、例えば、画像形成装置１において各画像形成ユニットＦＹ、ＦＭ、ＦＣ、及びＦＫへの印刷データの送信は、通常、演算回路等を介さずに、メモリーとＩ／Ｏデバイス（又はメモリー）との間で直接データの転送を行うＤＭＡ（Ｄｉｒｅｃｔ  Ｍｅｍｏｒｙ  Ａｃｃｅｓｓ）を用いて行われる。そのため、頁変換送信手段３０２は、先ず、前記使用対象の画像形成ユニットのアドレスに最初頁の印刷データの送信先を設定する。ここで、前記印刷ジョブがカラー印刷である場合、例えば、図５に示すように、前記頁変換送信手段３０２が、全ての色の画像形成ユニットＦＹ、ＦＭ、ＦＣ、及びＦＫのアドレスに、前記最初頁の印刷データの送信先を同時に設定する。そして、頁変換送信手段３０２は、前記設定された画像形成ユニットを起動して、当該起動した画像形成ユニットに最初の頁の印刷データの送信を開始する。
【００２４】
頁変換送信手段３０２が最初の頁の印刷データの送信を開始すると、その旨を画像形成手段３０３に通知する。当該通知を受けた画像形成手段３０３は、前記画像形成ユニットで、前記一頁目の印刷データを用いて、用紙へのトナー像の画像形成を開始する（図４：Ｓ１０４）。又、前記画像形成手段３０３は、前記印刷ジョブの用紙のサイズ（例えば、Ａ４サイズ等）に対応して用紙収容部２から用紙を一枚引き出して搬送する（図４：Ｓ１０５）。
【００２５】
尚、前記画像形成手段３０３が画像形成する方法に特に限定は無い。ここで、図１に示すように、搬送される用紙に対して、画像形成ユニットＦＹ、ＦＭ、ＦＣ、及びＦＫの順番で配置されるため、先ず、前記画像形成手段３０３は、この順番で、各色毎の印刷データのトナー像を中間転写ベルトＢ１へ形成させる。次に、前記画像形成手段３０３は、トナー像の形成と同期して、用紙を一枚引き出し、用紙搬送部６へ搬送する。そして、前記画像形成手段３０３は、中間転写ベルトＢ１へのトナー像の一次転写のタイミングに対応して、二次転写部３に用紙を送り込み、二次転写部２で、当該中間転写ベルトＢ１上のトナー像を用紙に二次転写させる。更に、前記画像形成手段３０３は、当該二次転写後の用紙を定着部４へ搬送することで、当該用紙へのトナー像の定着を実行し、排紙部５を介して、用紙を排紙する。
【００２６】
ここで、前記頁変換送信手段３０２が、前記最初の頁の印刷データの送信を開始すると、その旨を次頁変換手段３０４に通知し、当該通知を受けた次頁変換手段３０４は、次頁の画像データが存在するか否かを判定する（図４：Ｓ１０６）。
【００２７】
前記次頁変換手段３０４が判定する方法は、特に限定は無いが、例えば、先ほど変換された印刷データの頁が、前記印刷ジョブの画像データの最後の頁数（四頁）に一致するか否かを判定する。
【００２８】
前記判定の結果、前記次頁の画像データが存在する場合（図４：Ｓ１０６ＹＥＳ）、前記次頁変換手段３０４は、前記次頁の画像データを、前記画像形成ユニットに対応する次頁の印刷データに変換する（図４：Ｓ１０７）。そして、次頁変換手段３０４は、その旨を次頁送信手段３０５に通知し、当該通知を受けた次頁送信手段３０５は、前記変換された次頁の印刷データを保持する（図４：Ｓ１０８）。
【００２９】
ここで、次頁送信手段３０５が前記次頁の印刷データを保持する方法に特に限定は無い。例えば、次頁送信手段３０５は、予め設けられたメモリーに一時的に前記次頁の印刷データを記憶させる。
【００３０】
そして、次頁送信手段３０５は、前記頁の画像データの送信先を設定している画像形成ユニットに対して次頁の印刷データの送信先を設定しておく。更に、所定の頁（最初の頁、一頁目）の印刷データのトナー像が用紙に画像形成されると（図４：Ｓ１０９）、次頁送信手段３０５は、直ぐに、前記画像形成ユニットに対して次頁の印刷データの送信を開始する（図４：Ｓ１１０）。
【００３１】
ここで、前記次頁送信手段３０５が送信する方法は、特に限定は無いが、例えば、図５に示すように、前記頁（一頁目）の印刷データの受信により起動中の画像形成ユニットのアドレスを、次頁（二頁目）の印刷データの送信先として予め設定する。ここで、前記印刷ジョブがカラー印刷である場合、前記次頁送信手段３０５は、前記頁の印刷データの受信により起動中の全ての画像形成ユニットＦＹ、ＦＭ、ＦＣ、及びＦＫのアドレスを、前記次頁の印刷データの送信先として同時に設定する。そして、前記次頁送信手段３０５は、前記頁の印刷データのトナー像が用紙に画像形成されたタイミングで、前記メモリーに一時的に保持させた次頁の印刷データを前記画像形成ユニットＦＹ、ＦＭ、ＦＣ、及びＦＫに送信する。又、前記次頁送信手段３０５は、前記メモリーに一時的に記憶された次頁の印刷データを消去する。これにより、前記頁の印刷データにより既に起動中の画像形成ユニットに、予め次頁（二頁目）の印刷データの変換・送信設定を行っておくことで、図５に示すように、前記画像形成手段３０３が、前記中間転写ベルトＢ１に対する前記頁の印刷データに対応する各色毎のトナー像の転写を完了し、次頁の印刷データを受信すると、直ぐに、当該次頁の印刷データのトナー像の形成を開始することが出来る。そのため、前記画像形成手段３０３（ＣＰＵ）の処理が多少遅くなったとしても、次に搬送される次頁用の用紙に次頁の印刷データのトナー像を確実に転写させることが可能となる。
【００３２】
従来であれば、図６に示すように、最初の頁の印刷データの送信先の設定は同時に行われているものの、次頁の印刷データの変換や送信先の設定は、前記最初頁の印刷データのトナー像の転写が完了した後に、実行されていた。この場合、ＣＰＵに負荷が掛かり過ぎることで、前記次頁の印刷データの変換や送信先の設定が遅れて、使用対象の画像形成ユニットの起動が遅れていた。すると、搬送される用紙に印刷することが出来ないため、用紙だけ進んでしまうというエラーが発生していた。特に、印刷速度が速い場合は（例えば、紙間が短い場合、両面印刷の場合等）、前記次頁の印刷データの変換や送信先の設定が遅れるだけで、前記画像形成ユニットのトナー像の形成が遅れて、前記エラーが多発する可能性が高い。
【００３３】
本発明では、図５に示すように、所定の頁の印刷データの送信（送信先の設定）が完了した後に、前記次頁の印刷データの変換・送信先の設定を予め行っておくことで、前記画像形成ユニットの起動が遅れることを確実に防止することが可能となる。
【００３４】
さて、前記次頁送信手段３０５は次頁の印刷データの送信を実行すると（図４：Ｓ１１０）、Ｓ１０４に戻って、前記画像形成手段３０３が、前記画像形成ユニットと次頁の印刷データを用いて、トナー像の形成を開始し（図４：Ｓ１０４）、前記用紙収容部２から用紙を一枚引き出して搬送する（図４：Ｓ１０５）。これにより、前記画像形成手段３０３は、前記用紙の搬送に対応して、各色のトナー像の転写を順次行っていく。
【００３５】
また、前記次頁変換手段３０４は、次頁の画像データが存在するか否かを判定し（図４：Ｓ１０６）、前記次頁の画像データが存在する場合（図４：Ｓ１０６ＹＥＳ）、前記次頁変換手段３０４は、前記次頁の画像データを次頁の印刷データに変換し（図４：Ｓ１０７）、前記次頁送信手段３０５は、前記変換された次頁の印刷データを保持するとともに（図４：Ｓ１０８）、前記画像形成ユニットに対して次頁の印刷データの送信先を設定しておく。
【００３６】
ここで、前記印刷ジョブの画像データの頁数が二頁以上の場合、図５に示すように、前記次頁送信手段３０５が、所定の頁（二頁目）の印刷データを保持し、前記画像形成手段３０３が、当該頁（二頁目）の印刷データの送信先の設定が完了している画像形成ユニットＦＹで、前記頁の直前の頁（一頁目）の印刷データのトナー像の転写を完了する。すると、前記次頁送信手段３０５は、前記トナー像の転写の完了に対応して、前記画像形成ユニットＦＹに、前記頁（二頁目）の印刷データを送信するとともに、前記次頁変換手段３０４に、次頁（三頁目）の画像データの変換を開始させる。そして、前記次頁（三頁目）の印刷データへの変換が完了すると、前記次頁送信手段３０５が、当該次頁の印刷データを保持し、前記画像形成ユニットＦＹに、前記次頁の印刷データの送信先を設定する。このように、二頁以上の複数頁の印刷が実行される場合、前記画像形成ユニットＦＹに、少なくとも二頁分の印刷データが変換・保持され、各印刷データの送信先が常時設定されるように構成することで、当該画像形成ユニットＦＹに無駄の無い処理を行わせることが可能となる。尚、Ｓ１０７以降の処理は、同様であるため、割愛する。
【００３７】
さて、Ｓ１０６において、前記判定の結果、前記次頁の画像データが存在しない場合（図４：Ｓ１０６ＮＯ）、前記次頁変換手段３０４は、特に何もせず、処理を完了する。この場合は、既に、前記画像形成手段３０３が、起動中の画像形成ユニットで最後の頁（例えば、四頁目）の印刷データのトナー像の形成を開始し、前記用紙を搬送しているため（図４：Ｓ１０５）、前記画像形成手段３０３が、起動中の画像形成ユニットで前記最後の頁の印刷データのトナー像を用紙に画像形成する（図４：Ｓ１１１）。これにより、前記印刷ジョブが完了する。
【００３８】
尚、本発明の実施形態では、カラー印刷を想定したが、一つの画像形成ユニットＦＫを用いるモノクロ印刷であっても構わない。又、本発明の実施形態では、片面印刷の画像形成装置１を想定したが、両面印刷の画像形成装置であっても構わない。
【００３９】
又、本発明の実施形態では、画像形成装置１が各手段を備えるよう構成したが、当該各手段を実現するプログラムを記憶媒体に記憶させ、当該記憶媒体を提供するよう構成しても構わない。当該構成では、前記プログラムを画像形成装置１に読み出させ、当該画像形成装置１が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００４０】
以上のように、本発明に係る画像形成装置及び画像形成方法は、カラー／モノクロ複合機はもちろん、カラー／モノクロ複写機、カラー／モノクロプリンタ等に有用であり、ＣＰＵの負荷を軽減することで、印刷中のエラーの発生を確実に防止することが可能な画像形成装置及び画像形成方法として有効である。
【符号の説明】
【００４１】
１  画像形成装置
３０１  制御手段
３０２  頁変換送信手段
３０３  画像形成手段
３０４  次頁変換手段
３０５  次頁送信手段
【図１】
2016097515.tif 000003
【図２】
2016097515.tif 000004
【図３】
2016097515.tif 000005
【図４】
2016097515.tif 000006
【図５】
2016097515.tif 000007
【図６】
2016097515.tif 000008